(57)【特許請求の範囲】
【請求項１】
電波を送波する送信アンテナ及び前記送信アンテナの上又は下に配置され電波を受波する受信アンテナを有するアンテナ部と、
前記アンテナ部を回転駆動する回転機構と、
前記アンテナ部の回転周囲を覆う側壁が、前記アンテナ部の回転軸に対してそれぞれ異なる角度で傾斜する少なくとも２つの傾斜部を有するケースと、
を備え、
前記送信アンテナ及び前記受信アンテナは、それぞれホーンを有し、
前記送信アンテナは、前記側壁を透過して電波を送信し、
前記受信アンテナは、前記側壁を透過した電波を受信し、
前記傾斜部同士の境界である傾斜切替境界のうち最も高い位置にある前記傾斜切替境界は、前記送信アンテナ及び前記受信アンテナのうち下側に配置されるアンテナが有する前記ホーンの下端より上側に位置し、
前記傾斜切替境界のうち最も高い位置にある前記傾斜切替境界は、前記送信アンテナ及び前記受信アンテナのうち上側に配置されるアンテナが有する前記ホーンの上端より下側に位置することを特徴とするアンテナ装置。
【請求項２】
請求項１に記載のアンテナ装置であって、
前記傾斜切替境界のうち最も高い位置にある前記傾斜切替境界が全体の高さの１／２より上側にあることを特徴とするアンテナ装置。
【請求項３】
請求項１又は２に記載のアンテナ装置であって、
前記傾斜部のうち上側の前記傾斜部は下側の前記傾斜部よりも前記傾斜が大きいことを特徴とするアンテナ装置。
【請求項４】
請求項１から３までの何れか一項に記載のアンテナ装置であって、
前記傾斜部のうち最も高い位置にある第１傾斜部の前記傾斜は前記アンテナ部の回転軸に対して２０度以上であることを特徴とするアンテナ装置。
【請求項５】
請求項４に記載のアンテナ装置であって、
前記第１傾斜部の前記傾斜は約２５度であり、前記第１傾斜部の下側に位置する第２傾斜部の前記傾斜は約１０度であることを特徴とするアンテナ装置。
【請求項６】
請求項１から５までの何れか一項に記載のアンテナ装置であって、
前記傾斜切替境界は、前記ケースの径方向全てで同じ高さであることを特徴とするアンテナ装置。
【請求項７】
請求項１から６までの何れか一項に記載のアンテナ装置であって、
前記傾斜切替境界のうち最も高い位置にある前記傾斜切替境界が前記ケースの全体の高さの略３／４の位置にあることを特徴とするアンテナ装置。
【請求項８】
請求項１から７までの何れか一項に記載のアンテナ装置であって、
前記アンテナ部はＦＭＣＷ方式の電波を送信又は受信するアンテナを備えることを特徴とするアンテナ装置。
【請求項９】
請求項１から８までの何れか一項に記載のアンテナ装置であって、
前記アンテナ部はパッチアンテナ方式であることを特徴とするアンテナ装置。
【発明の詳細な説明】
【技術分野】
【０００１】
本発明は、主として、レドーム型のアンテナ装置の構成に関する。
【背景技術】
【０００２】
従来から、回転するアンテナをレドームに収容させた構成のアンテナ装置が知られている。特許文献１は、この種のアンテナ装置を開示する。
【０００３】
特許文献１のアンテナ装置は、レドームから電波の略ｎ／４波長（ｎは正の奇数）離れた法線上の内側に、レドームと電気的性質が同等な材質からなる反射抑圧板を設ける構成となっている。特許文献１は、この構成により、反射抑圧板によりレドームからの反射波が打ち消されるため、アンテナの利得の減少やサイドローブの上昇を抑えることができるとする。
【先行技術文献】
【特許文献】
【０００４】
【特許文献１】実用新案登録第３１２３７７７号公報
【発明の概要】
【発明が解決しようとする課題】
【０００５】
特許文献１のアンテナ装置においては、１つのアンテナによって電波の送受波が行われるが、例えばＦＭＣＷ（周波数変調連続波）レーダのように、送信アンテナと受信アンテナとを別々に備え、送信アンテナと受信アンテナとが互いに離れて配置される構成のアンテナ装置も知られている。このようなアンテナ装置においては、電波の送受信が同時に行われるため、送受信アンテナ間のアイソレーションを確保することが重要になる。
【０００６】
しかし、送信と受信を別々のアンテナで行うアンテナ装置に上記特許文献１のレドームを仮に適用しようとする場合、レドームの内側にレドームと類似するものを設ける２重構造となり、重量及びコストの増加の原因となる。
【０００７】
また、送信アンテナと受信アンテナとを上下方向に離して配置することでアイソレーションを確保することも考えられるが、この場合は、アンテナ装置を高さ方向で小型化することが困難になってしまう。
【０００８】
なお、特許文献１のアンテナ装置は、レドームの側壁が若干傾斜した構成となっている。送信アンテナと受信アンテナとが上下に配置されたアンテナ装置では、このようにレドームの側壁に傾斜を設けることで、アイソレーション特性をある程度改善することができると考えられる。しかしながら、十分に良好なアイソレーション特性を確保しようとすれば、レドームの側壁をある程度大きく傾斜させる必要があり、レドーム径の増大を招いてしまう。
【０００９】
本発明は以上の事情に鑑みてされたものであり、その目的は、アイソレーション特性を改善しつつ小型化が可能なレドームを備えるアンテナ装置を提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成のアンテナ装置が提供される。即ち、このアンテナ装置は、アンテナ部と、回転機構と、ケースと、を備える。前記アンテナ部は、送信アンテナと、受信アンテナと、を有する。前記送信アンテナは、電波を送波する。前記受信アンテナは、前記送信アンテナの上又は下に配置され電波を受波する。前記回転機構は、前記アンテナ部を回転駆動する。前記ケースにおいて、前記アンテナ部の回転周囲を覆うように形成される側壁が、前記アンテナ部の回転軸に対してそれぞれ異なる角度で傾斜する少なくとも２つの傾斜部を有する。前記送信アンテナ及び前記受信アンテナは、それぞれホーンを有する。前記送信アンテナは、前記側壁を透過して電波を送信する。前記受信アンテナは、前記側壁を透過した電波を受信する。前記傾斜部同士の境界である傾斜切替境界のうち最も高い位置にある前記傾斜切替境界は、前記送信アンテナ及び前記受信アンテナのうち下側に配置されるアンテナが有する前記ホーンの下端より上側に位置する。前記傾斜切替境界のうち最も高い位置にある前記傾斜切替境界は、前記送信アンテナ及び前記受信アンテナのうち上側に配置されるアンテナが有する前記ホーンの上端より下側に位置する。なお、「最も高い位置にある傾斜切替境界」とは、傾斜切替境界が１つしかない場合は、当該傾斜切替境界を意味する。
【００１２】
これにより、従来のように傾斜部が１つだけ設けられた場合と比較して、送信アンテナと受信アンテナのアイソレーション特性を改善することができる。また、傾斜部が１つだけ設けられた場合と比較してケースの下部の半径が小さくなるので、ケースのサイズを大きくすることなくアイソレーションを改善することができる。また、アイソレーションを一層効果的に改善しつつ、ケースの下部の半径を更に小さくすることができる。
【００１３】
前記のアンテナ装置においては、以下の構成とすることが好ましい。即ち、前記傾斜切替境界のうち最も高い位置にある前記傾斜切替境界が全体の高さの１／２より上側にある。
【００１４】
これにより、傾斜切替境界のうち最も高い位置にある傾斜切替境界が全体の高さの１／２より上側にあるので、ケースの下部の半径を一層小さくすることができる。
【００１５】
前記のアンテナ装置においては、前記傾斜部のうち上側の前記傾斜部は下側の前記傾斜部よりも前記傾斜が大きいことが好ましい。
【００１６】
これにより、下側の傾斜が上側の傾斜よりも大きい場合と比較して、ケースの下部の半径を小さくすることができる。その結果、アイソレーションの改善効果を維持しつつ、アンテナ装置が大きくなることを防ぐことができる。
【００１７】
前記のアンテナ装置においては、前記傾斜部のうち最も高い位置にある第１傾斜部の前記傾斜は前記アンテナ部の回転軸に対して２０度以上であることが好ましい。
【００１８】
これにより、アイソレーションの改善効果を高めることができる。
【００１９】
前記のアンテナ装置においては、前記第１傾斜部の前記傾斜は約２５度であり、前記第１傾斜部の下側に位置する第２傾斜部の前記傾斜は約１０度であることが好ましい。
【００２０】
これにより、アイソレーションを一層効果的に改善することができる。
【００２１】
前記のアンテナ装置においては、前記傾斜切替境界は、前記ケースの径方向全てで同じ高さであることが好ましい。
【００２２】
これにより、アイソレーションを、ケースの全周囲で同等に改善することができる。また、ケースの側壁の形状が簡素化されるので、ケースの製造が容易になる。
【００２５】
前記のアンテナ装置においては、前記傾斜切替境界のうち最も高い位置にある前記傾斜切替境界が前記ケースの全体の高さの略３／４の位置にあることが好ましい。
【００２６】
これにより、アイソレーションを一層効果的に改善することができる。
【００２７】
前記のアンテナ装置においては、前記アンテナ部はＦＭＣＷ方式の電波を送信又は受信するアンテナを備えることが好ましい。
【００２８】
即ち、上記のようにアイソレーションが改善された構成は、ＦＭＣＷ方式のように電波の送受信を同時に行う場合に特に好適である。
【００２９】
前記のアンテナ装置においては、前記アンテナ部はパッチアンテナ方式であることが好ましい。
【００３０】
これにより、パッチアンテナ方式のアンテナ装置において、アイソレーションの改善効果を高めることができる。
【図面の簡単な説明】
【００３１】
【図１】本発明の第１実施形態に係るアンテナ装置の全体的な構成を示す正面図。
【図２】アンテナ部が正面を向いた状態でのレドーム内部の様子を示す正面図。
【図３】アンテナ部が図２の向きから９０°回転した状態でのレドーム内部の様子を示す正面図。
【図４】レドーム及びアンテナ部の構成を詳細に示す正面図。
【図５】アンテナ部が図４の向きから９０°回転した状態でのレドーム及びアンテナ部の構成を詳細に示す正面図。
【図６】傾斜部が１つ設けられた従来のアンテナ装置を示す正面図。
【図７】従来のアンテナ装置におけるレドーム側壁の傾斜角度とアイソレーション値の関係を示したグラフ。
【図８】第１実施形態における周波数とアイソレーション値の関係を示したグラフ。
【図９】第２実施形態のアンテナ装置において、アンテナ部が側方を向いた状態でのレドーム及びアンテナ部の構成を詳細に示す正面図。
【図１０】第２実施形態における周波数とアイソレーション値の関係を示したグラフ。
【発明を実施するための形態】
【００３２】
次に、図面を参照して本発明の実施の形態を説明する。図１は、本発明の第１実施形態に係るアンテナ装置１０の全体的な構成を示す正面図である。図２は、アンテナ部３０が正面を向いた状態でのレドーム２０内部の様子を示す正面図である。図３は、アンテナ部３０が図２の向きから９０°回転した状態でのレドーム２０内部の様子を示す正面図である。
【００３３】
図１に示すように、アンテナ装置１０は、レドーム（ケース）２０と、パッチアンテナ方式のアンテナ部３０と、回転機構４０と、を備えている。このアンテナ装置１０は、例えば船舶に搭載するレーダ装置に用いられる。
【００３４】
レドーム２０は、実質的に、回転機構４０の回転軸（以下、中心軸Ｃと呼ぶことがある。）を中心とする回転体状に形成されている。アンテナ装置１０は、レドーム２０の内部でアンテナ部３０を回転機構４０により回転させながら、当該アンテナ部３０により電波の送受信を行うことができる。
【００３５】
レドーム２０は上部カバー２０ａ及び下部カバー２０ｂからなる上下分割構造とされており、上部カバー２０ａと下部カバー２０ｂとを接合することにより、その内部空間にアンテナ部３０及び回転機構４０を収容することができる。なお、レドーム２０の内部には、他の構成（例えば、高周波信号の処理を行うＲＦユニット）が更に収容されても良い。上部カバー２０ａは下部カバー２０ｂに対して取外し可能に構成されており、図２及び図３には上部カバー２０ａが取り外された状態が示されている。なお、レドーム２０の詳細な構成については後述する。
【００３６】
回転機構４０は、図３等に示すように、支持台４１と、回転軸部４２と、取付部４３と、を備えている。支持台４１は、例えば円柱状に形成され、レドーム２０の下部カバー２０ｂに図略の固定部材によって固定されている。回転軸部４２は、アンテナ装置１０の中心部に上下方向に向けて（前記中心軸Ｃに沿って）配置され、支持台４１に対して相対回転可能に支持されている。取付部４３は、回転軸部４２の上部に固定されている。取付部４３は、中心軸Ｃと平行に向けられた平坦な取付面４３ｍを有しており、この取付面４３ｍにアンテナ部３０が取り付けられている。
【００３７】
回転機構４０は、レドーム２０の内部に配置された図略の駆動源（例えば、電動モータ）を備えている。この駆動源の駆動力が図略の駆動伝達部材（例えば、歯車、ベルト等）を介して回転軸部４２に伝達されることにより、上記の中心軸Ｃを中心にしてアンテナ部３０を水平面内で回転させることができる。
【００３８】
アンテナ部３０は、ＦＭＣＷ方式の電波を送受信するように構成されており、送信アンテナ３２と、受信アンテナ３１と、を備えている。送信アンテナ３２及び受信アンテナ３１は、上下方向に並べて配置され、それぞれが前記取付部４３（取付面４３ｍ）に固定されている。このアンテナ部３０は、送信アンテナ３２による電波の送信と、受信アンテナ３１による電波の受信と、を同時に行うことができる。
【００３９】
送信アンテナ３２及び受信アンテナ３１のそれぞれは、ホーン３３と、パッチアンテナ基板３４と、を備えている。
【００４０】
ホーン３３は金属板により構成されており、中心軸Ｃから遠い側が開放されている。図３に示すように、ホーン３３にはテーパ部が形成されており、パッチアンテナ基板３４から離れるにつれて開口領域が上下方向に徐々に拡大するように構成されている。
【００４１】
パッチアンテナ基板３４には、図２に示すように、水平な直線に沿って並べられた複数のパッチアンテナ３５が形成されている。なお、図２には電力の経路が示されていないが、それぞれのパッチアンテナ３５には、マイクロストリップラインにより電力が供給される。
【００４２】
受信アンテナ３１のホーン３３と、送信アンテナ３２のホーン３３とは、互いに接触するように配置されている（ただし、２つのホーン３３の間に小さな隙間が形成されても良い）。このように、受信アンテナ３１と送信アンテナ３２とを互いに接触又は近接するように配置することで、アンテナ装置１０を特に高さ方向で小型化することができる。
【００４３】
次に、図４及び図５を主に参照して、レドーム２０の構成を詳細に説明する。図４は、レドーム２０及びアンテナ部３０の構成を詳細に示す正面図である。図５は、アンテナ部３０が図４の向きから９０°回転した状態でのレドーム２０及びアンテナ部３０の構成を詳細に示す正面図である。
【００４４】
レドーム２０は、アンテナ部３０及び回転機構４０の周囲を覆うように構成され、アンテナ部３０を風雨等から保護する。このレドーム２０は、電波を良好に透過する性質を有する素材（例えば、強化プラスチック）で形成されている。
【００４５】
レドーム２０は、上部カバー２０ａと、下部カバー２０ｂと、を備える。上部カバー２０ａと下部カバー２０ｂは、ボルト等の固定部材によって互いに固定されている。
【００４６】
上部カバー２０ａは、回転体状（具体的には、円錐台形と円柱とを互いに接合したような形状）に構成されている。上部カバー２０ａは中空状に構成されており、上壁と、上壁の端部から下方に延びる側壁と、を有している。上壁は、アンテナ部３０等の上側を覆うように配置され、側壁は、アンテナ部３０等の水平方向外側を覆うように配置される。上壁は円形平板状に構成され、側壁は、水平な仮想平面で切った断面が円形となるように構成されている。
【００４７】
上部カバー２０ａの側壁は、互いに傾斜の度合いが異なる複数（２つ）の傾斜部２１ａ，２１ｂと、傾斜がない平行部２２と、を有している。２つの傾斜部２１ａ，２１ｂは、上下方向で互いに接続している。上側に位置する第１傾斜部２１ａと、下側に位置する第２傾斜部２１ｂと、の境界においては傾斜の度合いが切り替わっており、以下、この部分を傾斜切替境界２４と呼ぶことがある。
【００４８】
２つの傾斜部２１ａ，２１ｂは、互いに一体的に形成されている。また、上側の第１傾斜部２１ａは、上壁と一体的に形成されている。
【００４９】
第１傾斜部２１ａ及び第２傾斜部２１ｂは、それぞれ中心軸Ｃに対して異なる角度で傾斜している。第１傾斜部２１ａの傾斜角度である第１傾斜角度Ｓ１は、第２傾斜部２１ｂの傾斜角度である第２傾斜角度Ｓ２よりも大きくなるように形成されている。ただし、ここでいう傾斜角度は、中心軸Ｃを含む仮想平面で上部カバー２０ａを切った断面において、鉛直線（即ち、中心軸Ｃに平行な線）に対して当該側壁がなす角度を意味する。これにより、第２傾斜部２１ｂは第１傾斜部２１ａと比較して中心軸Ｃの向きに近くなっている。
【００５０】
平行部２２は、中心軸Ｃに対して平行となるように形成されている。言い換えれば、平行部２２の傾斜はゼロである。平行部２２は、第２傾斜部２１ｂと一体的に形成されている。
【００５１】
次に、レドーム側壁の傾斜がアイソレーション特性に与える影響を説明するために、図６を参照して、従来のアンテナ装置１０ｐを説明する。図６は、従来のアンテナ装置１０ｐの正面図である。
【００５２】
図６に示す従来のアンテナ装置１０ｐにおいては、上部カバー２０ａｐと下部カバー２０ｂｐとによりレドーム２０ｐが構成されている。上記の実施形態と異なり、レドーム２０ｐ（上部カバー２０ａｐ）の側壁には、１つのみの傾斜部２１ｐが形成されている。上部カバー２０ａｐは、この傾斜部２１ｐと、平行部２２ｐと、を有している。傾斜部２１ｐは、鉛直線に対して傾斜角度Ｓｐだけ傾斜するように形成されている。
【００５３】
図７は、図６に示す従来の構成のアンテナ装置１０ｐにおいて、レドーム２０ｐの側壁の傾斜角度Ｓｐに応じたアイソレーション値の変化を示すグラフである。なお、比較を容易にするために、従来のアンテナ装置１０ｐには本実施形態のアンテナ部３０と同様の構成のアンテナ部が収容されていると仮定し、アイソレーション特性はシミュレーション計算により求めた。このグラフは、レドーム２０ｐの側壁の傾斜角度Ｓｐを大きくすることによりアイソレーション特性を改善できることを示している。例えば、レドーム２０ｐの側壁の傾斜角度Ｓｐを約１０度から約２４度に変更すると、アイソレーション特性が約１０倍改善することがわかる。
【００５４】
上記のように、レドーム２０ｐの側壁を傾斜させることは、アイソレーション特性を改善する有効な手法である。一方、レドーム２０ｐ上部の半径Ｒ１ｐはアンテナ部の上端部の回転軌跡の半径ＲＴより大きくする必要があるが、アンテナ部は指向性を確保するために幅広状に構成する必要があるので、当該半径Ｒ１ｐを小さくすることは事実上殆ど不可能である。従って、傾斜部２１ｐの傾斜角度Ｓｐを大きくするのに伴って、レドーム２０ｐ下部の半径Ｒ２ｐを大きくせざるを得ず、小型化が困難になってしまう。
【００５５】
次に、本実施形態のレドーム２０の形状と、当該構成により得られるアイソレーション特性について、図４、図５、及び図８等を参照しながら説明する。
【００５６】
上述したように、本実施形態のレドーム２０は、第１傾斜部２１ａと、第２傾斜部２１ｂと、を備えている。第１傾斜部２１ａと第２傾斜部２１ｂとは、傾斜切替境界２４を境として上下方向で隣接している。第１傾斜部２１ａの傾斜角度（第１傾斜角度Ｓ１）は、第２傾斜部２１ｂの傾斜角度（第２傾斜角度Ｓ２）よりも、大きくなるように形成されている（Ｓ１＞Ｓ２）。また、レドーム２０は、上記の中心軸Ｃを中心とする回転体状に形成されている。
【００５７】
図４及び図５に示すように、レドーム２０上部の半径Ｒ１は、その内部にアンテナ部３０を収容するため、アンテナ部３０の上端部の回転軌跡の半径ＲＴよりも大きく形成されている（Ｒ１＞ＲＴ）。
【００５８】
また、傾斜切替境界２４の高さ（傾斜切替高さＳＨ）は、レドーム２０の高さ（レドーム高さ）Ｈ１の略３／４となっている。即ち、傾斜切替境界２４の高さ（傾斜切替高さＳＨ）は、レドーム２０の高さ（レドーム高さＨ１）を２等分する高さよりも高くなっている（ＳＨ＞Ｈ１／２）。また、傾斜切替境界２４の高さ（傾斜切替高さＳＨ）は、アンテナ部３０の下端の高さＨ３よりも高くなっている（ＳＨ＞Ｈ３）。また、傾斜切替境界２４の高さ（傾斜切替高さＳＨ）は、アンテナ部３０の上端の高さＨ２よりも低くなっている（ＳＨ＜Ｈ２）。なお、本実施形態ではアンテナ部３０において受信アンテナ３１が送信アンテナ３２の上側に配置されているので、アンテナ部３０の上端の高さＨ２は、受信アンテナ３１が有するホーン３３の上端の高さを意味し、アンテナ部３０の下端の高さＨ３は、送信アンテナ３２が有するホーン３３の下端の高さを意味する。
【００５９】
図５に示すように、送信アンテナ３２及び受信アンテナ３１が備えるホーン３３は、その開口部の上下方向での長さがＬ１、奥行きがＬ２となるように構成されている。また、アンテナ部３０から中心軸Ｃまでの距離がＬ３となるように構成されている。
【００６０】
以上のように構成された第１実施形態のアンテナ装置１０において、第１傾斜角度Ｓ１を２５度、第２傾斜角度Ｓ２を１０度とした場合のアイソレーション特性を表すシミュレーション結果が図８に示されている。図８のグラフにおいて、横軸は、アンテナ部３０が送受信する電波の周波数であり、縦軸はアイソレーション値である。図８のグラフには、従来の構成のアンテナ装置１０ｐのアイソレーション特性も併せて示されている。なお、電波の周波数は９ＧＨｚ帯の適宜の周波数の範囲とし、従来の構成においては、上部カバー２０ａｐの下部の半径Ｒ２ｐを第１実施形態の上部カバー２０ａの下部の半径Ｒ２と同程度とすることを考慮し、傾斜角度Ｓｐを１５度とした。
【００６１】
図７に示すように、２つの傾斜部２１ａ，２１ｂを設けた本実施形態のレドーム２０は、傾斜部２１ｐを１つだけ設けた従来構造のレドーム２０ｐと比較して、そのアイソレーション値がシミュレーションを行った全ての周波数において概ね１／１０以下となっている。即ち、本実施形態のレドーム２０は、従来構造のレドーム２０ｐと比較して、アイソレーション特性が１０倍以上に改善されることがわかる。また、本実施形態のレドーム２０は、シミュレーションを行った周波数の範囲の全体にわたって、アイソレーション値が概ね−４０ｄＢ以下となっており、良好なアイソレーション特性を実現できている。
【００６２】
以上のように、本実施形態のアンテナ装置１０は、傾斜角度が異なる２つの傾斜部２１ａ，２１ｂがレドーム２０に形成されている。そして、２つの傾斜部２１ａ，２１ｂの境界の高さ（傾斜角度が切り替わる高さ）である傾斜切替高さＳＨは、レドーム２０全体の高さであるレドーム高さＨ１の略３／４の高さになっている。即ち、レドーム２０全体の高さであるレドーム高さＨ１の１／２よりも高く、かつ、送信アンテナ３２のホーン３３の下端より高く、かつ、受信アンテナ３１のホーン３３の上端より低くなっている。これにより、レドーム２０下部の半径Ｒ２の増加を防止しつつ、アイソレーション特性を効果的に改善することができる。
【００６３】
なお、第１傾斜部２１ａの傾斜角度Ｓ１及び第２傾斜部２１ｂの傾斜角度Ｓ２は、上記に例示した角度に限定されず、様々に変更することができる。ただし、第１傾斜角度Ｓ１を２０度以上とすると、良好なアイソレーション値（例えば、−４０ｄＢ）を実現し易くなるため好ましい。また、第１傾斜角度Ｓ１を約２５度、第２傾斜角度Ｓ２を約１０度とすると、良好なアイソレーション値を一層実現し易くなる。
【００６４】
更に、本実施形態においては、上側にある第１傾斜部２１ａの傾斜角度Ｓ１が、下側にある第２傾斜部２１ｂの傾斜角度Ｓ２よりも大きくなるように形成されている（Ｓ１＞Ｓ２）。これにより、レドーム２０が角張ることを防止して流麗な外観を実現することができる。
【００６５】
また、レドーム２０は回転機構４０の回転軸（中心軸Ｃ）を中心とする回転体状に形成されているため、傾斜切替高さＳＨは、レドーム２０の全周にわたって一定となっている。これにより、アンテナ部３０の向きにかかわらずアイソレーションを同等に高めることができる。また、レドーム２０の形状を簡素化できるので、製造を容易にすることができる。
【００６６】
以上に説明したように、本実施形態のアンテナ装置１０は、アンテナ部３０と、回転機構４０と、レドーム２０と、を備える。アンテナ部３０は、送信アンテナ３２と、受信アンテナ３１と、を有する。送信アンテナ３２は、電波を送波する。受信アンテナ３１は、送信アンテナ３２の上に配置され電波を受波する。回転機構４０は、アンテナ部３０を回転駆動する。レドーム２０は、アンテナ部３０の回転周囲を覆うように形成される。レドーム２０の側壁は、２つの傾斜部２１ａ，２１ｂを有する。２つの傾斜部２１ａ，２１ｂは、アンテナ部３０の回転軸（中心軸Ｃ）に対してそれぞれ異なる傾斜角度Ｓ１，Ｓ２で傾斜する。当該傾斜部２１同士の境界である傾斜切替境界２４が、レドーム２０全体の高さであるレドーム高さＨ１の１／２の高さより上側にある。
【００６７】
これにより、従来のように傾斜部２１ｐが１つだけ設けられた場合と比較して、送信アンテナ３２と受信アンテナ３１のアイソレーション特性を改善することができる。また、傾斜部２１が１つだけ設けられた場合と比較してレドーム２０の下部の半径Ｒ２が小さくなるので、レドーム２０のサイズを大きくすることなくアイソレーションを改善することができる。また、傾斜切替境界２４のうち最も高い位置にある傾斜切替境界２４がレドーム高さＨ１の１／２より上側にあるので、レドーム２０の下部の半径Ｒ２を一層小さくすることができる。
【００６８】
次に、第２実施形態を説明する。図９は、第２実施形態におけるアンテナ装置１０ｘにおいて、アンテナ部３０ｘが側方を向いた状態でのレドーム２０ｘ及びアンテナ部３０ｘの構成を詳細に示す正面図である。なお、本実施形態の説明においては、前述の実施形態と同一又は類似の部材には図面に同一の符号を付し、説明を省略する場合がある。
【００６９】
図８に示すように、本実施形態のアンテナ装置１０ｘは、レドーム２０ｘと、アンテナ部３０ｘと、回転機構４０ｘと、を備えている。
【００７０】
回転機構４０ｘが備える取付部４３ｘにおいて、アンテナ部３０ｘを固定するための取付面４３ｍは、上記の第１実施形態よりも中心軸Ｃに近づけて配置されている。また、アンテナ部３０ｘを構成する受信アンテナ３１ｘ及び送信アンテナ３２ｘのホーン３３ｘにおいて、第１実施形態のようなテーパ部が省略され、短く形成されている。
【００７１】
レドーム２０ｘは、上部カバー２０ａｘと、下部カバー２０ｂｘと、を備える。上部カバー２０ａｘの側壁は、２つの傾斜部２１ａｘ，２１ｂｘと、平行部２２ｘと、を有している。上側の傾斜部２１ａｘの傾斜角度Ｓ１ｘと、下側の傾斜部２１ｂｘの傾斜角度Ｓ２ｘと、は異なっている。本実施形態においても、傾斜部２１ａｘ，２１ｂｘの境界（傾斜切替境界２４ｘ）の高さである傾斜切替高さＳＨｘは、レドーム２０ｘ全体の高さ（レドーム高さＨ１ｘ）の略３／４の高さになっている。即ち、傾斜切替高さＳＨｘは、レドーム２０ｘ全体の高さ（レドーム高さＨ１ｘ）の１／２より高く、送信アンテナ３２ｘのホーン３３ｘの下端の高さＨ３ｘよりも高く、かつ、受信アンテナ３１ｘのホーン３３ｘの上端の高さＨ２ｘより低くなっている。
【００７２】
図１０のグラフには、本実施形態のアンテナ装置１０ｘのアイソレーション特性が従来のアンテナ装置１０ｐと比較して示されており、本実施形態の構成が概ね良好なアイソレーション特性を実現できていることがわかる。
【００７３】
本実施形態においても、上述の条件を満たす限り、傾斜切替境界２４ｘの高さを適宜変更することができる。図１０のグラフには、図９に示す傾斜切替境界２４ｘの高さを適宜の距離だけ上側にオフセットした場合と、同じ距離だけ下側にオフセットした場合と、のアイソレーション特性が併せて示されており、利用したい周波数等の事情に応じて傾斜切替境界２４ｘの高さを適宜調整することが有効であることがわかる。
【００７４】
以上に本発明の好適な実施の形態を説明したが、上記の構成は例えば以下のように変更することができる。
【００７５】
例えば第１実施形態において、レドーム２０には２つの傾斜部２１ａ，２１ｂが形成されているが、傾斜部の数は２つに限らず３つ以上とすることもできる。この場合、傾斜切替境界２４が２つ以上形成されることになるが、この場合は、最も高い位置にある傾斜切替境界２４が、レドーム高さＨ１の１／２より高くなっていれば良い。第２実施形態においても同様である。
【００７６】
アンテナ部３０，３０ｘにおいて、送信アンテナ３２，３２ｘが受信アンテナ３１，３１ｘの上に配置されても良い。
【符号の説明】
【００７７】
１０  アンテナ装置
２０  レドーム（ケース）
２１ａ，２１ｂ  傾斜部
２４  傾斜切替境界
３０  アンテナ部
３１  受信アンテナ
３２  送信アンテナ
３３  ホーン
４０  回転機構
【図１】
0006647853.tif 000002
【図２】
0006647853.tif 000003
【図３】
0006647853.tif 000004
【図４】
0006647853.tif 000005
【図５】
0006647853.tif 000006
【図６】
0006647853.tif 000007
【図７】
0006647853.tif 000008
【図８】
0006647853.tif 000009
【図９】
0006647853.tif 000010
【図１０】
0006647853.tif 000011